(57)【要約】【課題】入浴時に高い洗髪感を与えられる入浴装置を提供する。【解決手段】入浴装置１は、自動洗髪機能を有する洗髪部を備える。前記洗髪部は、液体を吐出する複数の吐出部２３と、複数の吐出部２３が固定配置される壁部２２と、複数の吐出部２３のうちのいずれから液体を吐出させるかを切換可能とする切換部Ｖ１〜Ｖ３と、切換部Ｖ１〜Ｖ３を制御する制御部４０と、を備える。【選択図】図９
2016159031.tif 000002
【特許請求の範囲】
【請求項１】
自動洗髪機能を有する洗髪部を備える入浴装置であって、
前記洗髪部は、
液体を吐出する複数の吐出部と、
前記複数の吐出部が固定配置される壁部と、
前記複数の吐出部のうちのいずれから液体を吐出させるかを切換可能とする切換部と、
前記切換部を制御する制御部と、
を備えることを特徴とする入浴装置。
【請求項２】
前記洗髪部は、入浴者の頭部を入れる洗髪槽を更に備え、
前記洗髪槽は、前記壁部を用いて構成されていることを特徴とする請求項１に記載の入浴装置。
【請求項３】
前記複数の吐出部は、前記壁部に放射状に配列されていることを特徴とする請求項１又は２に記載の入浴装置。
【請求項４】
前記切換部は複数の切換弁を備え、
前記切換弁の数は、前記複数の吐出部の数よりも少ないことを特徴とする請求項１から３のいずれか１項に記載の入浴装置。
【請求項５】
シャワー液吐出部を有し、入浴者を搬送する搬送車を受け入れる本体部と、
前記本体部に取り付けられて、前記搬送車が入れられる入口を開閉する扉部と、
を備え、
前記洗髪部に含まれる前記吐出部及び前記壁部は、前記扉部に設けられていることを特徴とする請求項１から４のいずれか１項に記載の入浴装置。
【発明の詳細な説明】
【技術分野】
【０００１】
本発明は、高齢者や身体障害者等の体が不自由で介助が必要な者（要介助者）に好適な入浴装置に関する。
【背景技術】
【０００２】
従来、浴槽に連なるように洗髪槽が設けられた浴槽が知られている。例えば、特許文献１には、浴槽本体の上縁部に連なるように洗髪用槽が設けられた浴槽が開示されている。洗髪用槽には空気圧縮装置に接続された気泡発生部が付設されている。特許文献１の浴槽（気泡洗髪槽付き浴槽）によれば、入浴者は、他の人の手助けを必要とすることなく、入浴したまま一人で洗髪できる、とされる。
【０００３】
また、特許文献２には、浴槽につかった入浴者の頭を、浴槽の短辺側に連設された洗髪槽に収容した状態で洗浄水を吐水して自動的に洗髪を行うことができる浴槽装置が開示されている。当該浴槽装置においては、浴槽の底面に入浴者の背中を斜めに支持する背もたれ部が形成され、該背もたれ部の延長上における浴槽の上端部分に入浴者の首を保持するための保持凹所が形成されている。前記洗髪槽は、該保持凹所に隣接して設けられる。前記洗髪槽に対しては、洗髪時以外の入浴時に入浴者の頭を前記洗髪槽よりも上方位置で支持するための入浴用枕が着脱自在に装着できる。特許文献２の浴槽装置によれば、ストレスのかからない姿勢で洗髪或いは入浴を楽しむことができ、特に洗髪にかかる時間をリラックスできる時間に変えることができる、とされる。
【先行技術文献】
【特許文献】
【０００４】
【特許文献１】特開２００１−２９９８６７号公報
【特許文献２】特開２００７−２２２４１５号公報
【発明の概要】
【発明が解決しようとする課題】
【０００５】
ところで、特許文献１の構成では、要介助者が洗髪姿勢を維持するのが難しく思われる。このために、特許文献１の構成は、要介助者の入浴装置としては、必ずしも適していないように思われる。また、特許文献２の構成では、洗髪の際に、頭の限られた箇所に連続して湯水をかけることを想定しており、被洗髪者（入浴者）は、十分に頭が洗われた感覚（洗髪感）を得難いものと思われる。
【０００６】
以上の点に鑑みて、本発明の目的は、入浴時に高い洗髪感を与えられる入浴装置を提供することである。また、本発明の他の目的は、介助が必要な入浴者に好適な洗髪機能付きの入浴装置を提供することである。
【課題を解決するための手段】
【０００７】
上記目的を達成するために本発明の入浴装置は、自動洗髪機能を有する洗髪部を備える入浴装置であって、前記洗髪部は、液体を吐出する複数の吐出部と、前記複数の吐出部が固定配置される壁部と、前記複数の吐出部のうちのいずれから液体を吐出させるかを切換可能とする切換部と、前記切換部を制御する制御部と、を備える構成（第１の構成）になっている。なお、前記液体には、湯水（湯又は水）の他、剤液や剤液が含まれた湯水等が含まれる。剤液には、例えば、シャンプー液、コンディショナー液、その他の薬液等が含まれる。
【０００８】
本構成によれば、制御部を用いた切換部の制御によって、液体を吐出させる部分を適宜変更しながら洗髪を行える。すなわち、本構成によれば、入浴者（被洗髪者）の頭部における液体がかかる位置を適宜変更しながら洗髪を行える。このために、本構成によれば、入浴者に対して高い洗髪感を与えることができる。
【０００９】
上記第１の構成の入浴装置において、前記洗髪部は、入浴者の頭部を入れる洗髪槽を更に備え、前記洗髪槽は、前記壁部を用いて構成されている（第２の構成）のが好ましい。本構成によれば、洗髪槽が設けられているために、洗髪時における液体の飛散等を防止し易く、また、排水処理も行い易い。
【００１０】
上記第１又は第２の構成の入浴装置において、前記複数の吐出部は、前記壁部に放射状に配列されている構成（第３の構成）であってよい。本構成において、前記複数の吐出部は、前記洗髪槽に入れられた頭部の頭頂部或いはその近傍と対向する位置を中心として、放射状に配列されている構成であってよい。本構成によれば、入浴者に対して高い洗髪感を与えることが可能な様々な液体吐出パターンを得易い。
【００１１】
上記第１から第３のいずれかの構成の入浴装置において、前記切換部は複数の切換弁を備え、前記切換弁の数は、前記複数の吐出部の数よりも少ない構成（第４の構成）であってよい。本構成によれば、切換弁が複数あるので、液体を吐出させる吐出部の変更を行ない易い。一方で、切換弁の数を複数の吐出部の数より少なくしているために、装置に要するコストを低減できる。
【００１２】
上記第１から第４のいずれかの構成の入浴装置は、シャワー液吐出部を有し、入浴者を搬送する搬送車を受け入れる本体部と、前記本体部に取り付けられて、前記搬送車が入れられる入口を開閉する扉部と、を備え、前記洗髪部に含まれる前記吐出部及び前記壁部は、前記扉部に設けられている構成（第５の構成）であってよい。本構成によれば、本体部に設けられるシャワー液吐出部を用いて洗身を行いつつ、扉部に取り付けられる洗髪用の吐出部を用いて洗髪を行うことが可能である。このために、頭部を含めた身体の洗浄作業を効率良く行える。そして、洗浄作業を効率良く行えるために、入浴者は、シャワー液吐出部から吐出される湯（ミスト状であってよい）で温まりながらリラックスする時間を確保し易い。また、本構成によれば、入浴者の洗身と洗髪を同時進行で進められるために、入浴の介助を行う者（介助者）の作業効率の向上が期待できる。
【発明の効果】
【００１３】
本発明によれば、入浴時に高い洗髪感を与えられる入浴装置を提供できる。また、本発明によれば、介助が必要な入浴者に好適な洗髪機能付きの入浴装置を提供できる。
【図面の簡単な説明】
【００１４】
【図１】本発明の実施形態に係る入浴装置の構成を示す概略斜視図
【図２】本発明の実施形態に係る入浴装置が備えるシャワー浴槽部の構成を示す概略側面図
【図３】本発明の実施形態に係る入浴装置が備えるシャワー浴槽部の構成を示す概略正面図
【図４】本発明の実施形態に係る入浴装置が備えるストレッチャーの構成を示す概略上面図
【図５】本発明の実施形態に係る入浴装置が備えるストレッチャーの構成を示す概略側面図
【図６】本発明の実施形態に係る入浴装置の電気的な構成を示すブロック図
【図７】本発明の実施形態に係る入浴装置が備える扉部の構成を示す概略斜視図
【図８】図７に示す扉部からカバー類を取り除いた状態を示す概略図
【図９】本発明の実施形態に係る入浴装置が備える扉部の内部構造を示す概略側面図
【図１０】本発明の実施形態に係る入浴装置が備える扉部の内部構造を示す概略上面図
【図１１】本発明の実施形態に係る入浴装置が備える洗髪部の配管構成を説明するためのブロック図
【図１２】本発明の実施形態に係る入浴装置が備える洗髪部の制御構成を示すブロック図
【図１３】本発明の実施形態に係る入浴装置における洗髪部の制御例について説明する模式図
【図１４】本発明の実施形態に係る入浴装置における洗髪部の制御方法の第１の変形例について説明する模式図
【図１５】本発明の実施形態に係る入浴装置における洗髪部の制御方法の第２の変形例について説明する模式図
【発明を実施するための形態】
【００１５】
以下、本発明の実施形態に係る入浴装置について、図面を参照しながら詳細に説明する。なお、本発明の実施形態に係る入浴装置は、いわゆるシャワー浴用の装置である。
＜入浴装置の概要＞
【００１６】
図１は、本発明の実施形態に係る入浴装置１の構成を示す概略斜視図である。図１に示すように、入浴装置１は、大きくは、シャワー浴槽部１０とストレッチャー３０とを備えている。なお、シャワー浴槽部１０は、本発明の本体部の一例であり、ストレッチャー３０は、本発明の搬送車の一例である。また、図１においては、ストレッチャー３０上に、入浴者Ｍが載った状態が示されている。
【００１７】
シャワー浴槽部１０の長手方向の一端部側には、扉部２０が設けられている。扉部２０によって、ストレッチャー３０をシャワー浴槽部１０内に入れたり、シャワー浴槽部１０外へ出したりするための開口１０ａが開閉される。シャワー浴槽部１０には、扉部２０を閉じた状態を維持できるように不図示のロック機構が備えられている。扉部２０には、入浴者Ｍの頭部を自動的に洗髪する洗髪部の構成要素が備えられている。洗髪部の詳細については後述する。
【００１８】
なお、図１は、扉部２０が開口１０ａを閉じた状態を示している。以下、シャワー浴槽部１０の、ストレッチャー３０を出し入れ可能とする側を、シャワー浴槽部１０の正面側と表現する。
【００１９】
図２は、本発明の実施形態に係る入浴装置１が備えるシャワー浴槽部１０の構成を示す概略側面図である。また、図３は、本発明の実施形態に係る入浴装置１が備えるシャワー浴槽部１０の構成を示す概略正面図である。なお、図２及び図３においては、扉部２０が省略されると共に、外カバーが取り外された状態が示されている。
【００２０】
図２及び図３に示すように、シャワー浴槽部１０は、４本の脚部１１によって支持される水受け浴槽１２を備えている。水受け浴槽１２には、正面側（図２の右側、図３の手前側）から背面側（図２の左側、図３の奥側）に向けて延在する（長手方向に延在する）開口部１２ａが形成されている。開口部１２ａは、水受け浴槽１２の短手方向（図３において左右方向）の中央部に設けられている。また、開口部１２ａは、水受け浴槽１２を上下方向に貫通している。その他、水受け浴槽１２の背面側（図２の左側、図３の奥側）には、浴槽内の水を排出する排水部１２ｂが形成されている。
【００２１】
図２及び図３に示すように、シャワー浴槽部１０は、水受け浴槽１２上に形成されるフレーム構造体１３を備えている。フレーム構造体１３の一部は液体（湯水やシャンプー液等）を流すための配管となっている。当該配管に流す湯水等は、例えば、図２及び図３において不図示のタンク（例えば貯湯タンクや剤液タンク等）から得られる。
【００２２】
フレーム構造体１３は、その上部に、長手方向に延びる２本のパイプ１３ａを有する。なお、図２においては、手前側のパイプ１３ａしか見えておらず、図３においては、２本のパイプ１３ａはフレームに隠れて見えていない。２本のパイプ１３ａのそれぞれには、長手方向に間隔をあけて並ぶ複数の上シャワーノズル１４が取り付けられている。上シャワーノズル１４は下方に向けてシャワー液（湯水や、シャンプー液等の剤液を含む湯水等）を吐出する。
【００２３】
なお、本実施形態では、長手方向に並ぶ上シャワーノズル１４の数は５個となっており、５個の上シャワーノズル１４が並ぶノズル列の数は２列となっているが、これらは一例にすぎない。上シャワーノズル１４を長手方向に並べる数や、ノズル列の数は適宜変更されてよい。また、上シャワーノズル１４は、本発明のシャワー液吐出部の一例である。
【００２４】
また、フレーム構造体１３は、その左右の側部に、長手方向に延びるパイプ１３ｂを有する。各パイプ１３ｂには、長手方向に間隔をあけて並ぶ複数の横シャワーノズル１５が取り付けられている。横シャワーノズル１５は、内側横向きにシャワー液（湯水や、シャンプー液等の剤液を含む湯水等）を吐出する。
【００２５】
なお、本実施形態では、長手方向に並ぶ横シャワーノズル１５の数は６個ずつになっているが、これの一例にすぎず、横シャワーノズル１５の数は適宜変更されてよい。また、横シャワーノズル１５は、本発明のシャワー液吐出部の一例である。
【００２６】
フレーム構造体１３の上部には、例えばシャワーノズル１４、１５から吐出される湯水等の温度を表示したり、設定画面を表示したりする液晶モニター１６が配置されている。液晶モニター１６には、タッチパネルが備えられており、入浴装置に対する指令（例えばシャワー液の温度等）を外部から入力できる。液晶モニター１６は、フレーム構造体１３上に配置される土台部１７に対して回動可能に連結されている。このため、入浴装置の利用者（例えば介助者）は、自分の立ち位置に応じて液晶モニター１６の向きを変更して、モニター画面を見易い状態にできる。
【００２７】
水受け浴槽１２やフレーム構造体１３等を覆うように外カバーが取り付けられることによって、シャワードームが形成される（図１参照）。シャワードームの正面側には、ストレッチャー３０をシャワードーム内に受け入れられるように開口１０ａ（入口）が形成されている。また、外カバーの左右の側面には、介助者が手を入れて入浴者の洗浄介助を行えるようにする等の目的で設けられた窓１０ｂが形成されている。
【００２８】
図４は、本発明の実施形態に係る入浴装置１が備えるストレッチャー３０の構成を示す概略上面図である。また、図５は、本発明の実施形態に係る入浴装置１が備えるストレッチャー３０の構成を示す概略側面図である。入浴者は、通常、ストレッチャー３０に臥位で載る。図４及び図５に示すように、ストレッチャー３０は、台車部３１と、台車部３１に立設される支柱３２によって下側から片持ち的に支持される寝台部３３と、を備えている。なお、本実施形態では支柱３２の数を２本としているが、これの数は適宜変更してよい。
【００２９】
台車部３１は、四隅に車輪３４を備え、走行可能になっている。また、台車部３１には、水受け体３５が設けられている。寝台部３３は、寝台部３３上に着脱可能に載置されるマット３６と、入浴者の頭部を載せる枕部３７と、を備えている。また、寝台部３３の両側面（左右の側面）には、寝台部３３の長手方向に沿って長く延びるサイドフェンス３８が取り付けられている。サイドフェンス３８は、図４及び図５に示す状態から倒すことができる。サイドフェンス３８は、ストレッチャー３０に搭乗する入浴者の安全を確保するために設けられている。
【００３０】
ストレッチャー３０は、その長手方向とシャワー浴槽部１０の長手方向とが略平行となるような姿勢にされて、シャワー浴槽部１０の正面側からシャワー浴槽部１０内に入れられる。なお、ストレッチャー３０をシャワー浴槽部１０内に入れる際には、扉部２０を開いた状態にする必要がある。
【００３１】
ストレッチャー３０は、枕部３７が設けられる側と反対側（入浴者の足側）の端部から先にシャワー浴槽部１０内に入れられる。ストレッチャー３０がシャワー浴槽部１０内に入れられた状態では、寝台部３３は水受け浴槽１２の上に位置する。また、ストレッチャー３０がシャワー浴槽部１０内に入れられた状態では、支柱３２が、水受け浴槽１２の開口部１２ａに嵌り込む。このために、寝台部３３は横揺れし難くい状態になる。
【００３２】
図６は、本発明の実施形態に係る入浴装置１の電気的な構成を示すブロック図である。制御部４０は、例えばマイクロコンピューターによって構成され、入浴装置全体の動作を制御する。制御部４０は、例えばシャワー浴槽部１０に取り付けられる。制御部４０は、例えば、液晶モニター１６の表示制御を行う。また、制御部４０は、シャワーノズル１４、１５や後述の洗髪ノズル等に湯水や剤液（シャンプー液やコンディショナー液等）を供給する各種のポンプＰの制御や、入浴装置１に備えられる各種のバルブ（弁）Ｖの制御を行う。また、制御部４０は、例えば温度センサー等の各種のセンサーＳから得られる情報に応じて、入浴装置１の動作制御を行う。
【００３３】
上述のように、液晶モニター１６はタッチパネル方式を採用しており、当該タッチパネルによって入力される指令に従って、制御部４０は各種の制御を行う。なお、外部からの指令の入力は、タッチパネル方式以外の方式（例えば、専用の操作ボタンの使用やリモコン入力等）が利用されても勿論良い。
【００３４】
制御部４０の制御のもと、シャワーノズル１４、１５から湯水等が適宜噴射されることにより、ストレッチャー３０に載った入浴者の体を洗浄することができる。また、シャワーノズル１４、１５から噴射される湯（当該目的ではミスト状であるのが好ましい）によってシャワー浴槽部１０内を温めて入浴者Ｍは体を温めることができる。なお、シャワー浴槽部１０の窓部１０ｂは、カーテン等の開閉手段によって閉じることができるようになっている。また、制御部４０の制御のもと、洗髪ノズルから湯水等が適宜噴射されることによって、入浴者Ｍの頭部を洗髪することできる。
＜洗髪部の構成＞
【００３５】
次に、入浴装置１が備える洗髪部について説明する。図７は、本発明の実施形態に係る入浴装置１が備える扉部２０の構成を示す概略斜視図である。図８は、図７に示す扉部２０からカバー類を取り除いた状態を示す概略図である。図９は、本発明の実施形態に係る入浴装置１が備える扉部２０の内部構造を示す概略側面図である。図１０は、本発明の実施形態に係る入浴装置１が備える扉部２０の内部構造を示す概略上面図である。なお、図９及び図１０では、構造を理解し易いように、カバー類が鎖線で示されている。また、扉部２０は、蝶番１８を介してシャワー浴槽部１０に開閉可能に取り付けられている（図１参照）。
【００３６】
図７から図１０に示されるように、扉部２０の上部には、ストレッチャー３０上に仰臥位で載る入浴者Ｍの頭部を入れる洗髪槽２１が形成されている（図１も参照）。洗髪槽２１を構成する湾曲した壁部２２には、液体を吐出する複数の洗髪ノズル２３が、吐出面を洗髪槽２１内に向けた状態で固定配置されている。洗髪ノズル２３は、本発明の吐出部の一例である。
【００３７】
なお、壁部２２は、扉部２０内部に設けられる扉フレーム２４によって支持されている。また、洗髪槽２１の上に配置される上カバー２５は着脱可能に設けられている。上カバー２５を装着することにより、洗髪ノズル２３から吐出される液体の飛散を防止できる。また、上カバー２５を外すことによって、介助者による介助が行い易くなる。
【００３８】
複数の洗髪ノズル２３は、中心部Ｏを基準として放射状に配列されている。中心部Ｏは、例えば、洗髪槽２１に入れられる入浴者Ｍの頭部を適切に洗髪できるように、設計段階で適宜決定される。例えば、洗髪槽２１に入れられる入浴者Ｍの頭頂部又はその近傍と対向する位置が中心部Ｏとされる。
【００３９】
複数の洗髪ノズル２３は、より詳細には、中心部Ｏから略等間隔（６０°おき）に６方向に延び出すように配列されている。そして、各方向には、３つの洗髪ノズル２３が略等間隔に一列となって並んでいる。本実施形態では、６方向のノズル列ＮＬ１〜ＮＬ６のうち、第１ノズル列ＮＬ１及び第４ノズル列ＮＬ４が、扉部２０を２等分する垂直面ＶＳ上に位置するように、ノズル列ＮＬ１〜ＮＬ６は構成されている。各ノズル列ＮＬ１〜ＮＬ６における３つの洗髪ノズル２３は、不図示のチューブ（例えば樹脂や金属によって形成される）によっては連結されており、ほぼ同時に液体を吐出するように設けられている。
【００４０】
その他、扉フレーム２４には、３つの電磁弁Ｖ１〜Ｖ３が固定されている。各電磁弁Ｖ１〜Ｖ３は、不図示のチューブによって適宜、ノズル列ＮＬ１〜ＮＬ６と連結されている。３つの電磁弁Ｖ１〜Ｖ３を制御することによって、各ノズル列ＮＬ１〜ＮＬ６から液体を吐出させるタイミングを制御できる。なお、電磁弁Ｖ１〜Ｖ３は、本発明の切換部の一例である。
【００４１】
図１１は、本発明の実施形態に係る入浴装置１が備える洗髪部の配管構成を説明するためのブロック図である。図１１に示すように、第１電磁弁Ｖ１は、３方向に分岐する第１ジョイントＪ１を介して、第１ノズル列ＮＬ１及び第４ノズル列ＮＬ４と連結されている。また、第２電磁弁Ｖ２は、３方向に分岐する第２ジョイントＪ２を介して、第２ノズル列ＮＬ２及び第５ノズル列ＮＬ５と連結されている。更に、第３電磁弁Ｖ３は、３方向に分岐する第３ジョイントＪ３を介して、第３ノズル列ＮＬ３及び第６ノズル列ＮＬ６と連結されている。
【００４２】
３つの電磁弁Ｖ１〜Ｖ３のそれぞれには、不図示のタンクに溜められた湯水が供給されるようになっている。各電磁弁Ｖ１〜Ｖ３が開いていると、それに連結されるノズル列に湯水が供給され、各電磁弁Ｖ１〜Ｖ３が閉じていると、それに連結されるノズル列には湯水は供給されない。
【００４３】
なお、上述のタンクは、シャワー浴槽部１０に設けられるシャワーノズル１４、１５に湯水を供給するのと同じタンクであってよいが、場合によっては洗髪専用のタンクであってもよい。また、本実施形態では、各電磁弁Ｖ１〜Ｖ３に、剤液タンクから供給される剤液（シャンプー液、コンディショナー液、その他の薬液等）を湯水に適宜混ぜて供給できるようになっている。
【００４４】
図１２は、本発明の実施形態に係る入浴装置１が備える洗髪部の制御構成を示すブロック図である。洗髪部の制御は、入浴装置全体の制御を行う制御部４０（図６参照）によって行われる。なお、場合によっては洗髪部専用の制御部が設けられてもよい。制御部４０は、液晶モニター１６に設けられるタッチパネル（操作部）に入力される洗髪に関わる条件にしたがって、洗髪部を構成する各部の制御を行う。洗髪に関する条件としては、例えば、洗髪ノズル２３から噴射される湯水の温度、噴射される湯水の量、剤液の種類、剤液の量、洗髪コースの種類等が挙げられる。
【００４５】
制御部４０は、操作部１６に入力された洗髪コース等にしたがって、不図示のタンクから洗髪ノズル２３に湯水を供給するための第１ポンプＰ１や、不図示の剤液タンクから洗髪ノズル２３に剤液を供給するための第２ポンプＰ２の動作を制御する。また、制御部４０は、操作部１６に入力された洗髪コース等にしたがって、各電磁弁Ｖ１〜Ｖ３の動作を制御する。
【００４６】
３つの電磁弁Ｖ１〜Ｖ３の全てを開いた状態とすると、入浴者Ｍの頭部に向けて、全ての洗髪ノズル２３（本実施形態では１８個）から液体を吐出させることができる。また、３つの電磁弁Ｖ１〜Ｖ２のうちの、いずれか２つや、いずれか１つのみを開いて、入浴者Ｍの頭部の偏った部分に液体を吐出させることもできる。
【００４７】
図１３は、本発明の実施形態に係る入浴装置１における洗髪部の制御例について説明する模式図である。例えば、開いた状態とする電磁弁を、第１電磁弁Ｖ１、第２電磁弁Ｖ２、第３電磁弁Ｖ３と、所定のタイミングで順番に変更していく。このようにすると、まず始めに、直線状に並ぶ第１ノズル列ＮＬ１及び第４ノズル列ＮＬ４だけから液体が吐出する。そして、暫くすると、直線状に並ぶ第２ノズル列ＮＬ２及び第５ノズル列ＮＬ５だけから液体が吐出する。また、暫くすると、直線状に並ぶ第３ノズル列ＮＬ３及び第６ノズル列ＮＬ６だけから液体が吐出する。
【００４８】
このように制御すると、入浴者Ｍの頭部の広い範囲に湯水（場合によっては薬剤含む）をかけることができるだけでなく、液体をかけられる入浴者Ｍに対して、液体を吐出する位置が回転しているような感覚を与えることができる。このために、洗髪にリズム感を与えて、入浴者Ｍに対して快適な洗髪感を与えることが可能である。なお、上記では、第１電磁弁Ｖ１から第３電磁弁Ｖ３までの切り換えが１回だけの場合を示したが、第１電磁弁Ｖ１から第３電磁弁Ｖ３までの切り換えが複数回繰り返されても勿論良い。また、例えば、切り換える順番が反転されてもよい（開となる電磁弁が、第３電磁弁Ｖ３→第２電磁弁Ｖ２→第１電磁弁Ｖ１となる）。
【００４９】
本実施形態の入浴装置によれば、洗身（シャワーノズル１４、１５が利用される）と同時に、洗髪部を利用して自動的に洗髪を行うことが可能である。このために、洗いに要する時間の短縮を図れると共に、介助者の作業負担の軽減も図れる。また、入浴者は、洗いに要する時間の短縮を図れるために、シャワーノズル１４、１５から噴射される湯（ミスト状が好ましい）によって体を温めながらリラックスする時間を確保し易い。
＜その他＞
【００５０】
以上に示した実施形態は、本発明の例示にすぎない。以上に示した実施形態の構成は、本発明の技術的思想を超えない範囲で適宜変更されて構わない。
【００５１】
例えば、図１３に示す例では、一直線上に並ぶ６つの洗髪ノズル２３を一つの組として３つのグループに分け、入浴者Ｍに対して液体を吐出する位置が回転しているような感覚を与える構成とした。これに代えて、例えば、図１４に示すように、同一の円周上に並ぶ６つの洗髪ノズル２３を一つの組として、液体を吐出させるノズルの組を、内側から外側に向けて、所定のタイミングで切り換えるようにしてもよい。この場合、図１１に示す構成とは配管構成は変更する必要がある。
【００５２】
なお、図１４は、本発明の実施形態に係る入浴装置１における洗髪部の制御方法の第１の変形例について説明する模式図である。図１４においては、同じ模様の洗髪ノズル２３からは同じタイミングで液体が吐出される。
【００５３】
図１４のように制御すれば、液体をかけられる入浴者Ｍに対して、液体を吐出する位置が放射状に広がるような感覚を与えることができる。なお、一番外側の組から液体が吐出された後は、再度、内側に戻って同様の切り換えが繰り返されてもよい。また、例えば、切り換える順番が反転（外側から内側に切り換わる）されてもよい。
【００５４】
また、例えば、図１５に示すように、複数の洗髪ノズル２３の並び位置を変更して、別の制御を行ってもよい。図１５では、図１３に示す場合と比較して、各ノズル列の放射方向が３０°回転している。そして、水平方向に一直線上に並ぶ６つの洗髪ノズルを第１の組Ｇ１、第１の組Ｇ１に対して上側にある６つの洗髪ノズル２３を第２の組Ｇ２、第１の組Ｇ１に対して下側にある６つの洗髪ノズル２３を第３の組Ｇ３としている。
【００５５】
なお、図１５は、本発明の実施形態に係る入浴装置における洗髪部の制御方法の第２の変形例について説明する模式図である。図１５においては、同じ模様の洗髪ノズル２３からは同じタイミングで液体が吐出される。
【００５６】
図１５に示す構成において、第２の組Ｇ２、第１の組Ｇ１、第３の組Ｇ３の順番で液体を吐出させる洗髪ノズル２３を変更する制御を行うと、液体をかけられる入浴者Ｍに対して、液体を吐出する位置が波打っているような感覚を与えることができる。なお、例えば、Ｇ２→Ｇ１→Ｇ３の順番の変更が繰り返されてもよいし、当該順番の反転が行われてもよい。また、例えば、変更のタイミングで、先に液体を吐出させていた洗髪ノズル２３からの液体の吐出を止めずに、Ｇ２→Ｇ２＋Ｇ１→Ｇ２＋Ｇ１＋Ｇ３といった変更制御が行われてもよい。この場合には、湯水が出る量が徐々に増えることになる。
【００５７】
また、以上では、３つの電磁弁Ｖ１〜Ｖ３による切り換えを前提に洗髪部の制御例を示したが、これは一例にすぎない。洗髪ノズル２３に液体を供給するか否かを切り換える切換弁（例えば電磁弁）の数は３つに限らず異なる数としてよい。切換弁の数を多くすることによって、多彩なパターンで液体を吐出させることが可能になる。
【００５８】
また、以上では、洗髪ノズル２３が放射方向に配列される構成としたが、これは例示にすぎず、例えば格子状等、別の配列が採用されても構わない。場合によっては、ランダムに配列されてもよい。また、洗髪ノズル２３の数は適宜変更されて構わない。
【００５９】
また、以上においては、シャワー浴槽部に受け入れられる搬送車がストレチャーである構成とした。これは一例にすぎない。例えば、車椅子（搬送車の一例）がシャワー浴槽部に受け入れられる構成の入浴装置に対しても本発明は適用可能である。
【００６０】
また、以上においては、洗髪ノズル２３や電磁弁Ｖ１〜Ｖ３が扉部に取り付けられる構成を示したが、これは一例にすぎない。例えば、シャワー浴槽部１０に扉部２０を設けない構成として、洗髪ノズルや電磁弁Ｖ１〜Ｖ３は、シャワー浴槽部１０に着脱可能な部材、或いは近づけたり遠ざけたりすることが可能な部材に取り付けられるようにしても構わない。
【００６１】
その他、本発明は、シャワー浴用の入浴装置以外の入浴装置に適用されても構わない。
【符号の説明】
【００６２】
１  入浴装置
１４  上シャワーノズル（シャワー液吐出部）
１５  横シャワーノズル（シャワー液吐出部）
２０  扉部
２１  洗髪槽
２２  壁部
２３  洗髪ノズル（吐出部）
４０  制御部
Ｖ１〜Ｖ３  電磁弁（切換部）
【図１】
2016159031.tif 000003
【図２】
2016159031.tif 000004
【図３】
2016159031.tif 000005
【図４】
2016159031.tif 000006
【図５】
2016159031.tif 000007
【図６】
2016159031.tif 000008
【図７】
2016159031.tif 000009
【図８】
2016159031.tif 000010
【図９】
2016159031.tif 000011
【図１０】
2016159031.tif 000012
【図１１】
2016159031.tif 000013
【図１２】
2016159031.tif 000014
【図１３】
2016159031.tif 000015
【図１４】
2016159031.tif 000016
【図１５】
2016159031.tif 000017